(57)【要約】【課題】基板に対する静電気対策を強化することができる技術を提供する。【解決手段】スピーカユニットは、下部左スピーカ２００の開口部２０６を覆うための保護部材２１０、及び、開口部２０６の周囲で装飾させる導光レンズ２２０を保持する装飾部材用ブラケット２０４と、下部左スピーカ２００の外周囲に位置させるＬＥＤ基板２４０を保持するものであって下部左スピーカ２００を収容可能なスピーカブラケット２０２とを備えている。保護部材２１０と下部左スピーカ２００との距離Ｌ１は、保護部材２１０とＬＥＤ基板２４０との距離Ｌ２よりも短くしているため、保護部材２１０において発生した静電気は、保護部材２１０によって覆われる下部左スピーカ２００を介して最終的にアースへと流れる。このような構成を採用しているため、ＬＥＤ基板２４０は、静電気が発生したときに影響を受け難くなり、ＬＥＤ基板２４０の破損を防ぐことができる。【選択図】図４
2020137944.tif 000002
【特許請求の範囲】
【請求項１】
少なくとも一部に金属部品を有するスピーカと、
前記スピーカの前方に配置され、前記スピーカを保護する金属製の保護部材と、
前記スピーカの近傍に配置された発光部材と、
前記発光部材の近傍に配置された基板とを備え、
前記保護部材と前記スピーカとの距離は、前記保護部材と前記基板との距離よりも短いことを特徴とする遊技機。
【請求項２】
請求項１に記載の遊技機において、
前記スピーカの開口部及び前記保護部材の少なくとも一方の近傍に配置され、前記発光部材が発する光を導く光装飾体を備え、
前記光装飾体は、
前記スピーカの側周部から離間して支持される前記基板の上に配置された前記発光部材に向かって延びる導光部を備えることを特徴とする遊技機。
【発明の詳細な説明】
【技術分野】
【０００１】
本発明は、遊技を実行する遊技機に関する。
【背景技術】
【０００２】
従来、この種の遊技機として、静電気に対する対策を行っている遊技機がある（例えば、特許文献１）。
特許文献１の技術では、静電気が、前扉のメッキからスピーカの金属ブラケットへと流れ、金属ブラケットの支持キャップから電飾基板を介して支持枠の金属補強板に流れ、最終的にアースへと流れ込むようになっている。
【先行技術文献】
【特許文献】
【０００３】
【特許文献１】特開２０１６−１６０８８号公報
【発明の概要】
【発明が解決しようとする課題】
【０００４】
特許文献１では、静電気に対する対策を行っているが、基板に対する対策は十分ではない。
【０００５】
そこで、本発明は、基板に対する静電気対策を強化することができる技術の提供を課題とする。
【課題を解決するための手段】
【０００６】
本発明は、上記の課題を解決するため以下の解決手段を採用する。なお、以下の括弧書中の文言はあくまで例示であり、本発明はこれに限定されるものではない。また、本発明は、以下の解決手段に示す各発明特定事項を少なくとも１つ含む発明とすることができる。さらに、以下の解決手段に示す各発明特定事項には、発明特定事項を限定する要素を追加して下位概念化することができ、発明特定事項を限定する要素を削除して上位概念化することもできる。
【０００７】
解決手段１：本解決手段の遊技機は、少なくとも一部に金属部品を有するスピーカと、前記スピーカの前方に配置され、前記スピーカを保護する金属製の保護部材と、前記スピーカの近傍に配置された発光部材と、前記発光部材の近傍に配置された基板とを備え、前記保護部材と前記スピーカとの距離は、前記保護部材と前記基板との距離よりも短いことを特徴とする遊技機である。
【０００８】
本解決手段の遊技機は、以下の構成を備えている。
（１）少なくとも一部に金属部品を有するスピーカを備えている。スピーカは、音を発する部品である。
（２）上記（１）のスピーカの前方に配置され、上記（１）のスピーカを保護する金属製の保護部材を備えている。保護部材は、例えば、スピーカの前面側に配置されている。
【０００９】
（３）上記（１）のスピーカの近傍（例えば、スピーカの周囲の少なくとも一部）に配置された発光部材（ＬＥＤ）を備えている。
（４）上記（３）の発光部材の近傍（例えば、発光部材の周囲の少なくとも一部）に配置された基板（ＬＥＤ基板、発光制御基板、制御基板）を備えている。例えば、基板は、上記（３）の発光部材の発光を制御する。
【００１０】
（５）そして、上記（２）の保護部材と上記（１）のスピーカとの距離（Ｌ１）は、上記（２）の保護部材と上記（４）の基板との距離（Ｌ２）よりも短い（Ｌ１＜Ｌ２）。
距離（Ｌ１）は、保護部材の中心（保護部材におけるスピーカの中心に対応する位置）からスピーカまでの最短距離とすることができ、距離（Ｌ２）は、保護部材の中心（保護部材におけるスピーカの中心に対応する位置）から基板までの最短距離とすることができる。
【００１１】
本解決手段によれば、保護部材とスピーカとの距離（Ｌ１）は、保護部材と基板との距離（Ｌ２）よりも短いため、保護部材で静電気が発生した場合、静電気は、基板よりもスピーカに伝わりやすくなっている。このため、保護部材で静電気が発生したとしても、その静電気が基板に伝わり難く、かつ、静電気の影響を基板が受け難くなる。これにより、基板の破損を回避することができ、結果として、基板に対する静電気対策を強化することができる。
【００１２】
解決手段２：本解決手段の遊技機は、上述したいずれかの解決手段において、前記スピーカの開口部及び前記保護部材の少なくとも一方の近傍に配置され、前記発光部材が発する光を導く光装飾体を備え、前記光装飾体は、前記スピーカの側周部から離間して支持される前記基板の上に配置された前記発光部材に向かって延びる導光部を備えることを特徴とする遊技機である。
【００１３】
本解決手段では、以下の特徴が追加される。
（１）スピーカの開口部及び保護部材の少なくとも一方の近傍に配置され、発光部材が発する光を導く光装飾体（導光レンズ）を備える。光装飾体は、スピーカの開口部の近傍に配置されていてもよく、保護部材の近傍に配置されていてもよく、スピーカの開口部及び保護部材の近傍に配置されていてもよい。スピーカの開口部は、スピーカの前方側に形成されており、スピーカから出力される音を放出する部分である。
【００１４】
（２）光装飾体は、スピーカの側周部（スピーカの側面）から離間して支持される基板の上に配置された発光部材に向かって延びる導光部（導光レンズの一部）を備える。光装飾体は、スピーカの前面側の周囲の少なくとも一部（例えば、スピーカの開口部の周囲の少なくとも一部）に配置されていることが好ましい。
【００１５】
本解決手段によれば、光装飾体は、スピーカの側周部から離間して支持される基板の上に配置された発光部材に向かって延びる導光部を備えるため、導光部が延びている分だけ、保護部材と基板との距離を長くすることができ、静電気が基板により伝わり難く、かつ、基板が静電気の影響をより受け難くなる。これにより、基板の破損を回避することができ、結果として、基板に対する静電気対策を強化することができる。
【００１６】
その他の解決手段：本解決手段の遊技機は、上述したいずれかの解決手段において、前記基板は、前記スピーカの開口部の後方であって、前記スピーカの外周から前記スピーカの外側の方向に離間した位置に配置されていることを特徴とする遊技機である。
【００１７】
本解決手段では、基板は、スピーカの開口部の後方であって、スピーカの外周からスピーカの外側の方向に離間した位置（正面視でスピーカと重ならない位置）に配置されている。
【００１８】
本解決手段によれば、基板は、スピーカの開口部の後方であって、スピーカの外周からスピーカの外側の方向に離間した位置に配置されているため、基板がスピーカの外周の内側に配置されている方式と比較して、静電気が基板により伝わり難く、かつ、基板が静電気の影響をより受け難くなる。これにより、基板の破損を回避することができ、結果として、基板に対する静電気対策を強化することができる。
【発明の効果】
【００１９】
本発明によれば、基板に対する静電気対策を強化することができる。
【図面の簡単な説明】
【００２０】
【図１】実施形態の遊技機１を示す正面図である。
【図２】下部左スピーカ２００の周囲を拡大して示す図である。
【図３】下部左スピーカ２００の周囲を拡大して示す図である。
【図４】図２及び図３のＩＶ−ＩＶ断面図である。
【発明を実施するための形態】
【００２１】
〔実施形態〕
以下、本発明の実施形態について、図面を参照しながら説明する。
図１は、実施形態の遊技機１を示す正面図である。
ここで、本明細書では、遊技機１に相対するようにして着席した遊技者から見て左側を左とし、遊技者から見て右側を右とし、遊技者から見て上側を上とし、遊技者から見て下側を下とし、遊技者から見て手前側を前とし、遊技者から見て奥側を後として説明している。
【００２２】
遊技機１（パチンコ機）は、遊技を実行する遊技機であって、遊技媒体としての遊技球を用いて遊技を行うものである。遊技者は、遊技場運営者から遊技球を借り受けて遊技機１にて遊技を行う。
【００２３】
〔全体構成〕
遊技機１は、外枠ユニット２、一体扉ユニット４（扉部材）及び内枠アセンブリ７（プラ枠、内枠ユニット）を備えている。一体扉ユニット４は、遊技機１の最も前面側に配置されており、一体扉ユニット４の背面側（奥側）には内枠アセンブリ７が配置されており、内枠アセンブリ７の外側を囲むようにして外枠ユニット２が配置されている。
【００２４】
外枠ユニット２は、木材及び金属材を縦長の矩形状に組み合わせた構造体であり、この外枠ユニット２は、遊技場内の島設備（図示されていない）に対してねじ等の締結具を用いて固定される。
【００２５】
一体扉ユニット４には、その下部位置に受皿ユニット６が配置されている。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、遊技機１の左側端部に沿って垂直方向に延びている。
【００２６】
図１中の正面からみて内枠アセンブリ７の右側縁部には、その内側に不図示の統一錠ユニットが設けられている。また、これに対応して一体扉ユニット４及び外枠ユニット２の右側縁部（裏側）にも、それぞれ図示しない施錠具が設けられている。図１に示すように、外枠ユニット２に対して一体扉ユニット４及び内枠アセンブリ７が閉じた状態で、その裏側にある統一錠ユニットは施錠具とともに一体扉ユニット４及び内枠アセンブリ７の開放を不能にしている。
【００２７】
また、内枠アセンブリ７の右側縁部には鍵穴付きのシリンダ錠６ａが設けられている。例えば、遊技場の管理者が専用キーを鍵穴に差し込んでシリンダ錠６ａを時計回りに捻ると、統一錠ユニットが作動して内枠アセンブリ７とともに一体扉ユニット４の開放が可能な状態となる。これら全体を外枠ユニット２から前面側へ開放する（扉のように動かす）と、前面側にて遊技機１の裏側が露出することになる。
【００２８】
一方、シリンダ錠６ａを反時計回りに捻ると、内枠アセンブリ７は施錠されたままで（内枠アセンブリ７が外枠ユニット２に固定されたままで）、一体扉ユニット４の施錠だけが解除され、一体扉ユニット４が開放可能となる。一体扉ユニット４を前面側へ開放すると図示しない遊技盤ユニットが露出し、この状態で遊技場の管理者が盤面内での球詰まり等の障害を取り除くことができる。なお、一体扉ユニット４を開放すると、受皿ユニット６も一緒に前面側へ移動する。
【００２９】
また、遊技機１は、遊技盤ユニット（遊技盤、遊技用ユニット）を備えており、遊技盤ユニットは、一体扉ユニット４の背後（内側）で内枠アセンブリ７に支持されている。遊技盤ユニットは、一体扉ユニット４を前面側へ開放した状態で内枠アセンブリ７に対して着脱可能である。一体扉ユニット４には、その中央部に縦長形状の窓４ａが形成されており、この窓４ａ内にガラスユニット（参照符号なし）が取り付けられている。
【００３０】
ガラスユニットは、窓４ａの形状をカバーできる大きさにカットされた２枚の透明板（ガラス板）を組み合わせたものである。ガラスユニットは、一体扉ユニット４の裏側に図示しない取り付け具を介して取り付けられる。また、遊技盤ユニットの前面には遊技領域が形成されており、この遊技領域は窓４ａを通じて前面側から遊技者に視認可能である。一体扉ユニット４が閉じられると、ガラスユニットの内面と盤面との間に遊技球が流下できる空間が形成される。
【００３１】
遊技盤ユニットには、遊技に必要な要素が配置されており、例えば、普通図柄に対応する始動ゲートや特別図柄に対応する始動入賞口、一般入賞口（他穴入賞口）、電動役物（普通電動役物及び特別電動役物）、図柄表示装置（普通図柄表示装置及び特別図柄表示装置）、統合表示基板、演出表示装置（液晶表示器）等が配置されている。
【００３２】
流下した遊技球が始動ゲートや始動入賞口に入球することにより、普通図柄抽選や特別図柄抽選が実行され、抽選結果に応じて特別遊技（大当り遊技、小当り遊技、普通図柄当り遊技等）が実行される。そして、特別遊技によって遊技者は多くの出球を獲得することができる。このような遊技の進行に関する内容は図示しない主制御装置が制御し、演出に関する内容は図示しない演出制御装置が主制御装置からのコマンドに基づいて制御する。
【００３３】
受皿ユニット６は、一体扉ユニット４から前面側へ突出して配置されており、その上面に球皿６ｂが形成されている。この球皿６ｂには、遊技者に貸し出された遊技球（貸球）や入賞により獲得した遊技球（賞球）を貯留することができる。遊技者が借り受けた遊技球は、賞球とは別に裏側の図示しない払出装置ユニットから受皿ユニット６（球皿６ｂ）に払い出される。
【００３４】
受皿ユニット６の上面には図示しない貸出操作部が設けられており、この貸出操作部には、球貸ボタン及び返却ボタンが配置されている。図示しないカードユニットに有価媒体（例えば磁気記録媒体、記憶ＩＣ内蔵媒体等）を投入した状態で球貸ボタンを遊技者が操作すると、予め決められた度数単位（例えば５度数）に対応する個数（例えば１２５個）分の遊技球が貸し出される。また、貸出操作部の上面には図示しない度数表示部が配置されており、この度数表示部には、カードユニットに投入されている有価媒体の残存度数が表示される。なお、遊技者は、返却ボタンを操作することで、度数が残存している有価媒体の返却を受けることができる。
【００３５】
また、受皿ユニット６の上段左側には、図示しない第１球抜きボタンが設置されており、受皿ユニット６の上段右側には、図示しない第２球抜きボタンが設置されている。球皿６ｂが満杯になった場合、第１球抜きボタンや第２球抜きボタンを押し込み操作することで、球抜き孔が開放され、これにより遊技球を遊技機１の下方に流すことができる。第１球抜きボタンや第２球抜きボタンを押し込み操作すると、球皿６ｂに貯留された遊技球は下方に落下し、落下した遊技球は、図示しない球受け箱や遊技球計数装置等に受け止められる。
【００３６】
受皿ユニット６の右下には、ハンドルユニット１６が設置されている。遊技者がこのハンドルユニット１６を操作すると、図示しない発射制御基板セットが作動し、遊技領域に向けて遊技球を発射することができる（発射装置）。発射された遊技球は、遊技盤ユニットの下縁部から左側縁部に沿って上昇し、図示しない外バンドに案内されて遊技領域内に放り込まれる。遊技領域内には多数の障害釘や風車（いずれも図示されていない）等が配置されており、放り込まれた遊技球は障害釘や風車により誘導・案内されながら遊技領域内を流下する。
【００３７】
一体扉ユニット４には、扉ユニット上ランプ４６、扉ユニット左ランプ４８及び扉ユニット右ランプ５０が設置されている。これらのランプは、例えば内蔵するＬＥＤの発光（点灯や点滅、輝度階調の変化、色調の変化等）により光演出を実行する。
【００３８】
一体扉ユニット４には、受皿ユニット６の左側に配置された下部左スピーカ２００や、受皿ユニット６の右側に配置された下部右スピーカ３００、その他のスピーカ（図中参照符号なし）が組み込まれている。これらのスピーカは、効果音やＢＧＭ、音声等（音響全般）を出力して音演出を実行する。
【００３９】
このうち、下部左スピーカ２００及び下部右スピーカ３００は、開口部（音放出口）が遊技者の頭部（特に、耳付近）を向くように上向きに傾斜して配置されている。
【００４０】
受皿ユニット６の中央には、上方に突出するようにして入力装置４００が設置されている。
【００４１】
入力装置４００の中央には、演出切替ボタン４１０が設置されている。演出切替ボタン４１０は、複数種類の操作入力（１回押下、複数回押下、連打、長押し等）を受付可能である。
【００４２】
また、演出切替ボタン４１０の左右には、上下方向に延びた棒状の２つのレバー部材４２０が配置されている。レバー部材４２０は、複数種類の操作入力（１回押し込み、複数回押し込み、長押し等）を受付可能である。
【００４３】
そして、遊技者が入力装置４００を操作することにより、入力信号が演出制御装置に入力される。これにより、演出制御装置は、演出内容（例えば液晶表示器に表示される演出の内容）を切り替えたり、図柄の変動中や大当り遊技中に何らかの演出（予告演出、ボタン押下演出、レバー部材押し込み演出等）を発生させたりする。
【００４４】
図２及び図３は、下部左スピーカ２００の周囲を拡大して示す図である。
ここで、図２では、各種部品を透過せずに示しており、図３では、一部の部品を透過させて示している。なお、下部右スピーカ３００は、下部左スピーカ２００と構成部品の向きや配置の角度は異なるが、基本的な構造は同様であるため、詳細な説明は省略する。
【００４５】
下部左スピーカ２００は、少なくとも一部に金属部品を有する電子部品である。下部左スピーカ２００は、その内部に、例えば、外周に配置された円形のリングや、振動板、中央に配置されたセンターキャップ、胴体部分となるフレーム、導電性外殻フレーム、マグネット、ボイスコイル等の部品を有しており、これらの部品の少なくとも一部は金属部品となっている。
【００４６】
下部左スピーカ２００の前面側には、下部左スピーカ２００を保護する金属製の保護部材２１０が配置されている。保護部材２１０は、ステンレス、アルミニウム、鉄等の材料によって構成された金属製の板（網）であり、多数の円形の孔が均等な間隔で開口している。保護部材２１０は、意匠性を向上させたり、強度を向上させたりするために、遊技者側に出っ張るように湾曲させてもよい。
【００４７】
下部左スピーカ２００は、遊技機１の筐体（一体扉ユニット）の内部に設けられた所定の取付部に取り付けられる。
取付部は、少なくとも一部に金属部品を有し、かつ、取付部の金属部品はアースケーブル（アース線）と接続されている。
下部左スピーカ２００の金属部品と取付部の金属部品とを接触させることで、下部左スピーカ２００に流れる静電気を遊技機１に設けられたアースケーブルへと流すことができる。これにより、下部左スピーカ２００の電気的要素の部分には、静電気が流れない道（電気的な導線）を形成することができる。
【００４８】
ここで、少なくとも一部に金属部品を有し、かつ、下部左スピーカ２００を保持して取付部に取り付ける中継の支持体（ブラケット）をスピーカユニットの構成要素の１つとして設ける場合には、下部左スピーカ２００の金属部品と支持体の金属部品と取付部の金属部品とを接触させることで、下部左スピーカ２００に流れる静電気を遊技機１に設けられたアースケーブルへと流すようにしてもよい。
【００４９】
保護部材２１０は、下部左スピーカ２００から出力された音を放出可能な孔を有する部材である。
また、発光部材２３０は、保護部材２１０の近傍に配置された導光レンズ２２０に対して照射可能であればよい。つまり、発光部材２３０は、下部左スピーカ２００の周りを囲むように点在させることに限定されない。発光部材２３０や導光レンズ２２０は、保護部材２１０の周囲に沿って配置されるだけではなく、保護部材２１０に覆われて覗いて見ることが可能な位置に配置するようにしてもよい。
【００５０】
ここで、保護部材２１０を樹脂の部材にすれば、遊技者が保護部材２１０に触れても、静電気は発生しない可能性がある。
しかし、保護部材２１０を樹脂の部材にすると、金属製の部材と比較して、多数の円形の孔の開口率を向上させることができず、また、保護部材２１０の厚みを薄くすることができない。
【００５１】
そして、多数の円形の孔の開口率が低かったり、保護部材２１０の厚みが厚かったりすると、下部左スピーカ２００から出力される音の音質が低下してしまうという問題が発生する。
これに対して、保護部材２１０を金属製にすると、このような問題が解消され、より良い音質の音を出力することができる。
【００５２】
ただし、音質を向上させるために、金属製の保護部材２１０を採用すると、今度は、静電気という別の問題が発生する。
そこで、本実施形態では、静電気の問題を解消するような構成を採用している。
【００５３】
図３に示すように、下部左スピーカ２００の左上側及び右下側には、２本の円弧状の導光レンズ２２０が配置されている。２本の円弧状の導光レンズ２２０を延長すると、下部左スピーカ２００を取り囲むような円形の形状となる。なお、導光レンズ２２０と重なる部分の部材は、透明又は半透明の部材とすることができる。
【００５４】
２本の円弧状の導光レンズ２２０の中央部分（導光レンズ２２０を正面から見て導光レンズ２２０の後方側）には、発光部材２３０が配置されている。
発光部材２３０は、下部左スピーカ２００の周囲に配置されたＬＥＤであり、このＬＥＤが発光すると、導光レンズ２２０が発光するようになっている。
【００５５】
ここで、導光レンズ２２０は、正面視では円弧状となっているが、側面から見るとＴ字状（Ｙ字状）の形状となっている。そして、発光部材２３０は、Ｔ字状の縦棒部分の下端部に配置されている。このため、導光レンズ２２０は、発光部材２３０及びＬＥＤ基板２４０に向かって延びるように配置されている。そして、Ｔ字状の横棒部分及び縦棒部分のうち、Ｔ字状の縦棒部分が、発光部材２３０による発光をＴ字状の横棒部分に導く導光部２２０ａとなっている。
【００５６】
このように、導光レンズ２２０（光装飾体）は、下部左スピーカ２００の側周部から離間して支持されるＬＥＤ基板２４０（基板）の上に配置された発光部材２３０に向かって延びる導光部２２０ａを備える。
【００５７】
導光レンズ２２０は、１個の光源（１個のＬＥＤ）で発光させることができる。この場合、導光レンズ２２０は、先端（Ｔ字状の横棒部分の先端、光源から遠ざかる方向）に向かうにつれて光が弱くなる。この場合の対策として、導光レンズ２２０の中央部分は、レンズカットのピッチを粗くし、先端に向かうにつれてレンズカットのピッチを細かくすることにより、導光レンズ２２０を均等に発光させることができる。
【００５８】
また、導光レンズ２２０を１個の光源で発光させる場合、点光源（点光り）が目立ってしまう可能性がある。そこで、本実施形態では、発光部材２３０と正面視で重なる位置に、長方形形状の目隠し部材２１２（つなぎの形状の部材）を配置しており、これにより、点光源を目立たせないようにしている。目隠し部材２１２は、不透明な部材であってもよく、透明又は半透明の部材であってもよい。
【００５９】
本実施形態では、下部左スピーカ２００には、２つの導光レンズ２２０が配置されている。このため、２つの導光レンズ２２０に対応して、２つの発光部材２３０と、２つのＬＥＤ基板２４０が配置されている。２つの導光レンズ２２０は、それぞれ別々の発光部材２３０によって発光する。
【００６０】
導光レンズ２２０は、下部左スピーカ２００の開口部２０６及び保護部材２１０の近傍に配置され、発光部材２３０が発する光を導く部材（光装飾体）である。
【００６１】
発光部材２３０の奥側（導光レンズ２２０を正面から見て発光部材２３０の後方側）には、発光部材２３０の発光を制御するＬＥＤ基板２４０（基板、電飾基板）が配置されている。
【００６２】
ＬＥＤ基板２４０は、演出制御装置に接続されており、演出制御装置がＬＥＤ基板２４０を制御し、ＬＥＤ基板２４０が発光部材２３０の点灯及び消灯を制御する。発光部材２３０が点灯すると、２本の円弧状の導光レンズ２２０が点灯するため、これにより、下部左スピーカ２００の周囲が点灯する。ＬＥＤ基板２４０は、少なくとも一部に金属部品（配線、端子、回路等）を有する部材である。
【００６３】
発光部材２３０を点灯させるタイミング（下部左スピーカ２００の周囲を点灯させるタイミング）は、遊技中の様々なタイミングとすることができる。
例えば、特別図柄の変動中に点灯させたり、大当り遊技中に点灯させたり、客待ち中（デモ演出中）に点灯させたり、先読み演出の実行中に点灯させたり、入賞時に点灯させたりすることができる。
【００６４】
導光レンズ２２０（光装飾体）や発光部材２３０は、遊技に係る演出に応じて出力されるスピーカからの音に合わせて、発光又は点滅を可能としたり、遊技結果（当否抽選）の事前示唆（当該変動や先読み変動）に係る報知態様として、赤、青、黄、白又はこれらの組合せからなる多彩な発光色となるよう発光制御することができる。
【００６５】
図４は、図２及び図３のＩＶ−ＩＶ線に沿う断面図である。
下部左スピーカ２００の周囲には、スピーカブラケット２０２が配置されている。
スピーカブラケット２０２は、下部左スピーカ２００を支持するための部材である。スピーカブラケット２０２は、下部左スピーカ２００の周囲を覆っている。
【００６６】
スピーカブラケット２０２の上方（図中のスピーカブラケット２０２の右側先端部の左斜め上）には、ＬＥＤ基板２４０が配置されている。なお、図中では、スピーカブラケット２０２は、断面部分と非断面部分とによって表示されている。
【００６７】
また、ＬＥＤ基板２４０の上方（表面側）には、発光部材２３０が配置されている。
さらに、発光部材２３０の上方（表面側）には、導光レンズ２２０が配置されている。なお、図中では、導光レンズ２２０は、断面部分と非断面部分とによって表示されている。
【００６８】
導光レンズ２２０の周囲には、装飾部材用ブラケット２０４（意匠基板、発光装飾部）が配置されている。装飾部材用ブラケット２０４は、導光レンズ２２０や保護部材２１０を支持するための部材である。装飾部材用ブラケット２０４は、導光レンズ２２０や保護部材２１０の周囲を覆っている。
【００６９】
遊技者側から見ると、保護部材２１０が最も手前に配置されており、保護部材２１０の後方に（図中では右斜め下に）、下部左スピーカ２００が配置されている。
また、保護部材２１０の周囲には、導光レンズ２２０が配置されており、導光レンズ２２０の後方に（図中では右斜め下に）発光部材２３０が配置され、発光部材２３０の後方に（図中では右斜め下に）ＬＥＤ基板２４０が配置されている。
【００７０】
そして、保護部材２１０と下部左スピーカ２００との距離Ｌ１は、保護部材２１０とＬＥＤ基板２４０との距離Ｌ２よりも短い（Ｌ１＜Ｌ２）。
距離Ｌ１は、保護部材２１０の中心（保護部材２１０における下部左スピーカ２００の中心に対応する位置）から下部左スピーカ２００までの最短距離としている。
また、距離Ｌ２は、保護部材２１０の中心（保護部材２１０における下部左スピーカ２００の中心に対応する位置）からＬＥＤ基板２４０までの最短距離としている。
【００７１】
ここで、距離Ｌ１は、下部左スピーカ２００の一部を通り抜けているようにみえるが、通り抜けている部分は下部左スピーカ２００の外周部分である。つまり、距離Ｌ１は、保護部材２１０の中心から下部左スピーカ２００の上部に配置された湾曲した部材（振動板）までの距離である。また、距離Ｌ２は、保護部材２１０の中心からＬＥＤ基板２４０の表面側の端部までの距離である。
【００７２】
また、距離Ｌ１及び距離Ｌ２は、保護部材２１０、下部左スピーカ２００及びＬＥＤ基板２４０といった３つの部材の距離の関係を示しているが、保護部材２１０、下部左スピーカ２００及びＬＥＤ基板２４０といった３つの部材に含まれる金属部品の間の距離としてもよい。
【００７３】
この場合、保護部材２１０の金属の部分（板状の網）と下部左スピーカ２００の金属部品との距離Ｌ１は、保護部材２１０の金属の部分（板状の網）とＬＥＤ基板２４０の金属部品との距離Ｌ２よりも短いようにすることができる。
【００７４】
距離Ｌ１は、下部左スピーカ２００の開口面（開口部、振動板の面部）を離間して覆うように保護部材２１０が対向配置された際に、下部左スピーカ２００の開口面に係る金属部品の部分（導電性の振動板又は振動板の緑部を支持する導電性外殻フレーム等）から保護部材２１０に至る最も短くなる距離を少なくとも含む。
【００７５】
また、距離Ｌ２は、下部左スピーカ２００の開口面（開口部、振動板の面部）を覆うように導電性の保護部材２１０が遊技機１の前面に沿って配置された場合において、保護部材２１０の緑部（保護部材２１０の外周端を被覆するよう支持する非導電性の装飾部材用ブラケット２０４を除いた部分）から、遊技機１の内部側であって下部左スピーカ２００の側周部に対して離間するよう支持されるＬＥＤ基板２４０に至る距離を含む。
【００７６】
また、ＬＥＤ基板２４０は、下部左スピーカ２００の開口部２０６（音放出口）の後方であって、下部左スピーカ２００の外周から離間した位置（正面視で下部左スピーカ２００と重ならない位置）に配置されている。
【００７７】
下部左スピーカ２００は、図示しないアース線を備えており、このアース線を例えば島設備に設置されたアース端子に接続することで、下部左スピーカ２００（遊技機１）のアース（接地）を確保している。
【００７８】
このように、本実施形態では、保護部材２１０に下部左スピーカ２００をあえて近づけることにより、静電気が、保護部材２１０から下部左スピーカ２００に伝達しやすい（飛びやすい）状況を作り出している。また、本実施形態では、保護部材２１０からＬＥＤ基板２４０を遠ざけることにより、静電気が、保護部材２１０からＬＥＤ基板２４０に伝達しない（飛ばない）状況を作り出している。
【００７９】
下部左スピーカ２００に流れる静電気は、下部左スピーカ２００の導電性外殻フレームと接続したスピーカブラケット２０２を介して遊技機１に設けられたアース線へと速やかに流れる。このように、下部左スピーカ２００に静電気が流れたとしても、静電気は、アース線へと速やかに流れるため、静電気が滞留する下部左スピーカ２００の周囲に配置した発光部材２３０やＬＥＤ基板２４０に関する電気的な影響を無視することができる。
【００８０】
以上説明したように、本実施形態によれば、以下のような効果がある。
（１）本実施形態によれば、保護部材２１０と下部左スピーカ２００との距離Ｌ１は、保護部材２１０とＬＥＤ基板２４０との距離Ｌ２よりも短いため、保護部材２１０で静電気が発生した場合、静電気は、ＬＥＤ基板２４０よりも下部左スピーカ２００に伝わりやすくなっている。このため、保護部材２１０で静電気が発生したとしても、その静電気がＬＥＤ基板２４０に伝わり難く、かつ、静電気の影響をＬＥＤ基板２４０が受け難くなる。これにより、ＬＥＤ基板２４０の破損を回避することができ、結果として、ＬＥＤ基板２４０に対する静電気対策を強化することができる。
【００８１】
（２）本実施形態によれば、導光レンズ２２０（光装飾体）は、下部左スピーカ２００の側周部から離間して支持されるＬＥＤ基板２４０（基板）の上に配置された発光部材２３０に向かって延びる導光部２２０ａを備えるため、導光部２２０ａが延びている分だけ、保護部材２１０とＬＥＤ基板２４０との距離を長くすることができ、静電気がＬＥＤ基板２４０により伝わり難く、かつ、ＬＥＤ基板２４０が静電気の影響をより受け難くなる。これにより、ＬＥＤ基板２４０の破損を回避することができ、結果として、ＬＥＤ基板２４０に対する静電気対策を強化することができる。
【００８２】
（３）本実施形態によれば、ＬＥＤ基板２４０は、下部左スピーカ２００の開口部２０６の後方であって、下部左スピーカ２００の外周から下部左スピーカ２００の外側の方向に離間した位置に配置されているため、ＬＥＤ基板２４０が下部左スピーカ２００の外周の内側に配置されている方式と比較して、静電気がＬＥＤ基板２４０により伝わり難く、かつ、ＬＥＤ基板２４０が静電気の影響をより受け難くなる。これにより、ＬＥＤ基板２４０の破損を回避することができ、結果として、ＬＥＤ基板２４０に対する静電気対策を強化することができる。
【００８３】
（４）本実施形態では、下部左スピーカ２００の周囲に配置されたＬＥＤ基板２４０に静電気が流れるのを防止することを１つの目的としている。
【００８４】
スピーカユニット（少なくとも下部左スピーカ２００を含む周囲の部品群）は、下部左スピーカ２００の開口部２０６を覆うための保護部材２１０、及び、開口部２０６の周囲で装飾させる導光レンズ２２０を保持する装飾部材用ブラケット２０４と、下部左スピーカ２００の外周囲に位置させるＬＥＤ基板２４０を保持するものであって下部左スピーカ２００を収容可能なスピーカブラケット２０２とを備えている。
【００８５】
導光レンズ２２０は、その後方にて離間して配置されるＬＥＤ基板２４０に向って延びる導光部２２０ａが設けられている。保護部材２１０（遊技機の前面部）の部分において発生した静電気（例えば、遊技者が保護部材２１０に触れることにより発生した静電気）は、保護部材２１０によって覆われる下部左スピーカ２００を介して最終的にアースへと流れるようにしている。
【００８６】
このように、ＬＥＤ基板２４０は、導光レンズ２２０（下部左スピーカ２００の開口部２０６）の後方であって、下部左スピーカ２００の外周囲から離間するように配置されているため、静電気が発生したときに影響を受け難くなり、ＬＥＤ基板２４０の破損を防ぐことができる。
【００８７】
（５）本実施形態では、筐体（扉枠、受皿ユニット６）に設けられる下部左スピーカ２００の開口部２０６の外周（円弧状）に沿って設けられる導光レンズ２２０（発光装飾部）は、下部左スピーカ２００の開口部２０６より後方の外周部に設けられた発光部材２３０からの光を受けるように延びる導光部２２０ａを備えている。
【００８８】
スピーカユニットは、下部左スピーカ２００の開口部２０６を覆うための保護部材２１０の孔から目視可能とされ、下部左スピーカ２００の開口部２０６の外周に沿って装飾させる導光レンズ２２０を保持する装飾部材用ブラケット２０４と、下部左スピーカ２００から離間するよう外周部に位置させるＬＥＤ基板２４０を保持するとともに下部左スピーカ２００を収容可能なスピーカブラケット２０２とを備える。
【００８９】
導光レンズ２２０は、下部左スピーカ２００の開口部２０６よりも後方にて、下部左スピーカ２００から離間して配置されるＬＥＤ基板２４０に向って延びるように設けられている。
【００９０】
保護部材２１０（遊技機の前面部）の部分又はその近傍において発生した静電気は、保護部材２１０によって覆われる下部左スピーカ２００を介して最終的にアースへと流れるようにしている。
【００９１】
このように、ＬＥＤ基板２４０は、導光レンズ２２０（下部左スピーカ２００の開口部２０６）の後方であって、下部左スピーカ２００の外周囲から離間するように配置されているため、静電気が発生したときに影響を受け難くなり、ＬＥＤ基板２４０の破損を防ぐことができる。
【００９２】
そして、従来技術には、「下部左スピーカ２００の開口部２０６の後方であって、下部左スピーカ２００の外周囲から離間するように配置されているＬＥＤ基板２４０と、ＬＥＤ基板２４０からの光を受ける導光部２２０ａを有する導光レンズ２２０」という構成の開示はない。
【００９３】
本発明は上述した一実施形態に制約されることなく、種々に変形して実施することができる。また、演出例であげた画像はあくまで一例であり、これらは適宜に変形することができる。また、遊技機の構造や盤面構成、具体的な数値等は図示のものも含めて好ましい例示であり、これらは適宜に変形可能である。
【００９４】
上述した実施形態の遊技機は、いわゆるループタイプ（確変回数に実質的な上限を設定しないタイプ）の遊技機としてもよく、ＳＴタイプ（確変回数に実質的な上限を設定するタイプ）の遊技機としてもよい。
【００９５】
上述した実施形態の遊技機は、確変領域を有しない遊技機としてもよく、確変領域を有する遊技機としてもよい。
【００９６】
上述した実施形態の遊技機は、「第１特別図柄及び第２特別図柄の同時回し」を採用していない遊技機としてもよく、同時回しを採用している遊技機としてもよい。
【００９７】
上述した実施形態の遊技機は、設定変更機能を備えている遊技機であってもよく、設定変更機能を備えていない遊技機であってもよい。
【００９８】
本発明の構成は、下部左スピーカ２００に適用する例で説明したが、下部右スピーカ３００に対しても適用可能である。
【００９９】
本発明の構成は、下部左スピーカ２００や下部右スピーカ３００だけでなく、その他のスピーカに対しても適用可能である。
【０１００】
上述した実施形態では、１つの導光レンズ２２０を１つのＬＥＤで発光させる例で説明したが、１つの導光レンズ２２０を複数のＬＥＤで発光させてもよく、複数の導光レンズ２２０を１つのＬＥＤで発光させてもよい。
【０１０１】
上述した実施形態では、導光レンズ２２０は、正面視で円弧状となる例で説明したが、その他の形状（直線形状等）であってもよい。
【０１０２】
上述した実施形態では、導光レンズ２２０は、側面視でＴ字状（Ｙ字状）の形状となる例で説明したが、その他の形状（Ｔ字状の縦棒部分が無い形状等）であってもよい。
【０１０３】
上述した実施形態では、距離Ｌ１は、保護部材２１０の中心から下部左スピーカ２００までの最短距離としており、距離Ｌ２は、保護部材２１０の中心からＬＥＤ基板２４０までの最短距離としているが、距離Ｌ１は、保護部材２１０の任意の第１位置から下部左スピーカ２００までの最短距離とし、距離Ｌ２は、保護部材２１０の任意の第１位置からＬＥＤ基板２４０までの最短距離としてもよい。
【０１０４】
また、距離Ｌ１は、保護部材２１０の任意の第１位置から下部左スピーカ２００の任意の第２位置までの距離とし、距離Ｌ２は、保護部材２１０の任意の第１位置からＬＥＤ基板２４０までの任意の第３位置までの距離としてもよい。
【０１０５】
基板は、ＬＥＤ基板の例で説明したが、その他の基板（演出制御装置の基板、遊技球を払い出すための払出制御装置の基板、その他の演出制御用の基板等）であってもよい。
また、基板は、制御を行わない基板（例えば、中継基板や電気的な回路基板等）であってもよい。
【符号の説明】
【０１０６】
１  遊技機
４  一体扉ユニット
７  内枠アセンブリ
２００  下部左スピーカ
３００  下部右スピーカ
４００  入力装置
【図１】
2020137944.tif 000003
【図２】
2020137944.tif 000004
【図３】
2020137944.tif 000005
【図４】
2020137944.tif 000006